(57)【特許請求の範囲】
【請求項１】
床下に配線・配管材等の収容空間を形成するために、基礎床面上に載置される、床構成材からなる支持材の、向かい合う支持部に渡されるようにして支持され、前記床構成材によって形成される上方に開口する十文字状の収容溝からなる前記収容空間の上方を覆う床材であって、
前記収容空間の上方を覆う第１および第２の分割床材と、可撓性を備えて、隣合う前記第１および第２の分割床材を互いに連結する連結部材とから構成され、
前記第１および第２の分割床材は、前記支持材の前記支持部に支持されるように、前記第１の分割床材が中央となり、前記第２の分割床材が、前記第１の分割床材の四方の各辺にそれぞれ隣合うようにして、十文字状に並べられ、また、
前記第１および第２の分割床材は、上面側に、互いに向かい合う端部に臨むように形成された第１および第２の連結凹部を備え、その連結凹部は、プレス加工によって、前記支持材に掛からないように下方に打ち出される突出部の、上面側のへこみからなり、
前記第１の連結凹部は、前記第１の分割床材の上面の中央から端部となる各辺まで延びて、全体が十文字形状をしており、前記第２の連結凹部は、前記第１の分割床材側とは反対側から、端部となる、前記第１の分割床材と向かい合う辺まで延びており、
前記連結部材は、十文字形状に形成されて、上面が、前記第１および第２の分割床材の上面とほぼ面一となるよう、前記第１および第２の連結凹部を埋めるようにして、前記第１および第２の分割床材に取り付けられることを特徴とする床材。
【請求項２】
前記連結部材は、隣合う前記第１および第２の連結凹部にまたがる部分が、下方に湾曲してなることを特徴とする請求項１に記載の床材。
【発明の詳細な説明】
【０００１】
【発明の属する技術分野】
この発明は、複数の分割床材を連結してなる床材に関するものである。
【０００２】
【従来の技術および発明が解決しようとする課題】
従来、床下に配線・配管材等の収容空間を形成するための床材として、例えば、実公平７−５８６号に示すものがあった。これは、図９に示すように、床材としてのカバー板１１が、支持材としてのブロック１２、１２に支持されて、それらブロック１２、１２相互間の、配線材の収容空間となる配線溝１３の上方を覆っていた。かかるカバー板１１は、配線溝１３を能率よく覆うとともにブロック１２、１２に対するガタ付きをなくすために、複数の分割板１１ａ、１１ａからなり、それら分割板１１ａ、１１ａは、裏面の端部相互が、可撓性材料からなる連結部材１４、１４により、連結されていた。
【０００３】
ところが、この従来の床材としてのカバー板１１にあっては、連結部材１４、１４が、分割板１１ａ、１１ａの裏面側にあり、配線溝１３、１３に面するため、例えば、配線溝１３、１３内に配線された配線材の過電流により発生するケーブル火災等において、連結部材１４、１４に着火する虞があった。したがって、連結部材１４、１４においては、耐着火性の優れた材料を選定する必要があった。なお、このようなケーブル火災等に関しては、ＪＩＳ  Ａ  １４５０（フリーアクセスフロア構成材試験方法）においても、示唆されているところである。
【０００４】
この発明は、上記した従来の欠点を解決するためになされたものであり、その目的とするところは、連結部材の材料を問わず、ケーブル火災に対する耐着火性の優れた床材を提供することにある。
【０００５】
また、他の目的は、耐荷重強度を向上させた床材を提供することにある。
【０００６】
【課題を解決するための手段】
この発明に係る床材は、前記目的を達成するために、次の構成からなる。すなわち、
請求項１に記載の発明は、床下に配線・配管材等の収容空間を形成するために、基礎床面上に載置される、床構成材からなる支持材の、向かい合う支持部に渡されるようにして支持され、前記床構成材によって形成される上方に開口する十文字状の収容溝からなる前記収容空間の上方を覆う床材であって、前記収容空間の上方を覆う第１および第２の分割床材と、可撓性を備えて、隣合う前記第１および第２の分割床材を互いに連結する連結部材とから構成される。ここで、前記第１および第２の分割床材は、前記支持材の前記支持部に支持されるように、前記第１の分割床材が中央となり、前記第２の分割床材が、前記第１の分割床材の四方の各辺にそれぞれ隣合うようにして、十文字状に並べられる。また、前記第１および第２の分割床材は、上面側に、互いに向かい合う端部に臨むように形成された第１および第２の連結凹部を備え、その連結凹部は、プレス加工によって、前記支持材に掛からないように下方に打ち出される突出部の、上面側のへこみからなる。前記第１の連結凹部は、前記第１の分割床材の上面の中央から端部となる各辺まで延びて、全体が十文字形状をしており、前記第２の連結凹部は、前記第１の分割床材側とは反対側から、端部となる、前記第１の分割床材と向かい合う辺まで延びている。そして、前記連結部材は、十文字形状に形成されて、上面が、前記第１および第２の分割床材の上面とほぼ面一となるよう、前記第１および第２の連結凹部を埋めるようにして、前記第１および第２の分割床材に取り付けられる。
こうして、この床材は、隣合う第１および第２の分割床材が、可撓性を備えた連結部材により連結されるので、その取り扱い（支持材への配設作業や支持材からの除去作業等）が容易であるとともに、これら隣合う分割床材間で屈曲可能となり、各分割床材が支持材になじんでガタ付きが防止される。さらに、配線・配管材等の収容空間の上方を覆う第１および第２の分割床材を互いに連結する連結部材は、分割床材の上面側に取り付けられるので、この連結部材は、前記収容空間に面することはない。しかも、連結部材の上面は、分割床材の上面とほぼ面一となるので、連結部材が第１および第２の分割床材の上面側にありながら、これら分割床材および連結部材により平坦な床が形成される。その上、第１および第２の分割床材の、第１および第２の連結凹部は、プレス加工によって、容易に形成することができ、しかも、連結凹部を形成するための突出部が、この分割床材を補強する役割を果たしている。
【０００７】
また、支持材は、床構成材からなり、床材と同様に、床面を形成する。そして、床材が、前記床構成材によって形成された収容溝からなる収容空間の上方を覆うこととなる。
【０００８】
【０００９】
また、請求項２に記載の発明のように、前記連結部材は、隣合う前記第１および第２の連結凹部にまたがる部分が、下方に湾曲してなるものであってもよい。こうして、連結部材は、隣合う第１および第２の連結凹部にまたがる部分が、下方に湾曲しているので、その部分で、容易に折れ曲がることができる。したがって、この床材は、隣合う第１および第２の分割床材間での屈曲が、容易になされる。
【００１０】
【発明の実施の形態】
以下、この発明に係る床材の実施の形態を図面に基づいて説明する。
【００１１】
図１ないし図４は、本発明に係る床材の一実施の形態を示す。図中符号１は、基礎床面、２は、基礎床面１上に配備される支持材である。３は、床下に配線・配管材等の収容空間Ｓを形成するために、支持材２に支持されて、収容空間Ｓの上方を覆って、床の一部を構成するカバー体としての床材である。
【００１２】
ここで、支持材２は、基礎床面１に載置されて床を形成する床構成材からなり、平板正四角形状の底板部２ａと、その底板部２ａの四隅から上方に突出する床構成片２ｂ、２ｂとからなる。これら床構成片２ｂ、２ｂは、偏平な略直方体形状をして、互いに向かい合う部分には、上辺に沿って帯状に、上面２ｃ、２ｃよりも若干下がって段となった、後述する床材３を支持するための支持部２ｄ、２ｄが形成されている。こうして、床構成片２ｂ、２ｂによって挟まれる部分は、上方に開口する収容溝となって、前記収容空間Ｓを形成している。
【００１３】
床材３は、支持材２の支持部２ｄ、２ｄに支持されて収容空間Ｓの上方を覆うように並ぶ、第１の分割床材３ａおよび第２の分割床材３ｂ、３ｂと、可撓性を備えて、隣合う分割床材３ａ、３ｂを互いに連結する連結部材３ｃとから構成されている。第１および第２の分割床材３ａ、３ｂ、３ｂは、例えば、圧延鋼板等の金属板材その他の不燃材あるいは難燃材からなり、平板方形状に形成されている。そして、これら第１および第２の分割床材３ａ、３ｂ、３ｂは、第１の分割床材３ａが中央となり、第２の分割床材３ｂ、３ｂが、第１の分割床材３ａの四方の各辺にそれぞれ、僅かな間隙Ｋを置いて隣合うようにして、十文字状に並べられる。そして、隣合う、第１の分割床材３ａと第２の分割床材３ｂは、それらの上面３ｄ、３ｅ側に、それぞれの、向かい合う端部となる辺３ｆ、３ｇに通ずるように臨むとともに、互いに連続するように隣合って形成された、第１の連結凹部３ｈと第２の連結凹部３ｉを備えている。すなわち、第１の連結凹部３ｈは、第１の分割床材３ａの上面３ｄ側に、その上面３ｄの中央から、端部となる各辺３ｆの中央まで延びており、その結果、これら第１の連結凹部３ｈ、３ｈは、上面３ｄの中央で連続して、全体が十文字形状をしている。一方、第２の連結凹部３ｉは、第２の分割床材３ｂの上面３ｅ側に、第１の分割床材３ａ側とは反対側から、端部となる、第１の分割床材３ａと向かい合う辺３ｇの中央まで延びている。なお、これら第１の連結凹部３ｈ、３ｈおよび第２の連結凹部３ｉは、プレス加工によって下方に打ち出される第１の突出部３ｊ、３ｊおよび第２の突出部３ｋの、上面３ｄ、３ｅ側のへこみからなっている。
【００１４】
また、連結部材３ｃは、可撓性を備えた、例えば、ポリプロピレン樹脂シート等の合成樹脂シート材からなる。この連結部材３ｃは、第１および第２の分割床材３ａ、３ｂ、３ｂの、隣合う第１および第２の連結凹部３ｈ、３ｈ、３ｉ、３ｉを埋めるようにして、それら第１および第２の分割床材３ａ、３ｂ、３ｂに取り付けられるように、十文字形状に形成されており、取り付けたとき、連結部材３ｃの上面３ｍが、第１および第２の分割床材３ａ、３ｂ、３ｂの上面３ｄ、３ｅ、３ｅとほぼ面一になる。さらに連結部材３ｃは、隣合う第１および第２の連結凹部３ｈ、３ｈ、３ｉ、３ｉにまたがる部分３ｎ、３ｎが、下方に湾曲して形成されている。なお、第１および第２の分割床材３ａ、３ｂ、３ｂへの連結部材３ｃの取り付けにあたっては、接着剤または両面粘着テープ等が用いられる。
【００１５】
そして、この床材３は、支持材２によって形成された十文字状の収容溝からなる収容空間Ｓを覆うようにして、支持材２の向かい合う支持部２ｄ、２ｄに渡される。このとき、第１および第２の分割床材３ａ、３ｂ、３ｂの上面３ｄ、３ｅ、３ｅと支持材２の上面２ｃ、２ｃとは、ほぼ面一となっている。
【００１６】
次に、以上の構成からなる床材３の作用効果について説明する。この床材３は、隣合う、第１および第２の分割床材３ａ、３ｂ、３ｂが、連結部材３ｃにより連結されており、連結された第１および第２の分割床材３ａ、３ｂ、３ｂを一度に扱うことができるので、支持材２への配設作業や支持材２からの除去作業等が容易である。しかも、連結部材３ｃは、可撓性を備えているので、この床材３は、隣合う分割床材３ａ、３ｂ間で屈曲可能となり、各分割床材３ａ、３ｂ、３ｂが支持材２になじんでガタ付きが防止される。その上、連結部材３ｃは、隣合う、第１および第２の連結凹部３ｈ、３ｉにまたがる部分３ｎが、下方に湾曲しているので、その部分３ｎで、容易に折れ曲がることができ、したがって、この床材３は、隣合う分割床材３ａ、３ｂ間での屈曲が、容易になされる。
【００１７】
さらに、配線・配管材等の収容空間Ｓの上方を覆う分割床材３ａ、３ｂ、３ｂを互いに連結する連結部材３ｃは、分割床材３ａ、３ｂ、３ｂの上面３ｄ、３ｅ、３ｅ側に取り付けられるので、この連結部材３ｃは、前記収容空間Ｓに面することはない。したがって、この床材３は、連結部材３ｃに合成樹脂材料を使用しているにも拘らず、ケーブル火災に対する耐着火性に優れることとなる。しかも、連結部材３ｃが、分割床材３ａ、３ｂ、３ｂの連結凹部３ｈ、３ｈ、３ｉ、３ｉを埋めるように取り付けられて、連結部材３ｃの上面３ｍは、分割床材３ａ、３ｂ、３ｂの上面３ｄ、３ｅ、３ｅとほぼ面一となるので、連結部材３ｃが分割床材３ａ、３ｂ、３ｂの上面３ｄ、３ｅ、３ｅ側にありながら、これら分割床材３ａ、３ｂ、３ｂおよび連結部材３ｃにより平坦な床が形成される。さらには、支持材２によっても、床が形成されており、支持材２の上面２ｃが、分割床材３ａ、３ｂ、３ｂの上面３ｄ、３ｅ、３ｅとほぼ面一となることで、床全体が平坦となっている。
【００１８】
また、第１の分割床材３ａの第１の連結凹部３ｈ、３ｈおよび第２の分割床材３ｂの第２の連結凹部３ｉは、プレス加工によって第１の突出部３ｊ、３ｊおよび第２の突出部３ｋを下方に打ち出すだけで、容易に形成することができる。しかも、これら突出部３ｊ、３ｊ、３ｋが、分割床材３ａ、３ｂを補強する役割を果たしており、分割床材３ａ、３ｂの耐荷重強度、つまりは床材３の耐荷重強度を向上させることができる。
【００１９】
なお、本発明は、上述した実施の形態に限定されるわけではなく、その他種々の変更が可能である。例えば、支持材２は、床構成片２ｂ、２ｂが、互いに、底板部２ａを介してつながっていなくとも、底板部２ａを備えず、床構成片２ｂ、２ｂが、直接基礎床面１に載置されてもよい。また、シート材からなる連結部材３ｃは、隣合う連結凹部３ｈ、３ｉにまたがる部分３ｎが、下方に湾曲していなくとも、真っ直ぐに延びるものであってもよい。また、第１および第２の分割床材３ａ、３ｂ、３ｂへの連結部材３ｃの取り付けにあたって、接着剤や両面粘着テープを用いなくとも、例えば、第１および第２の連結凹部３ｈ、３ｈ、３ｉ、３ｉに係合部を設けて、その係合部に連結部材３ｃを係合させるようにしてもよい。さらに、連結部材３ｃが樹脂成形される場合には、その樹脂成形の際に、第１および第２の分割床材３ａ、３ｂ、３ｂを成形型内に挿入することで、連結部材３ｃの成形と同時に、その連結部材３ｃを、第１および第２の分割床材３ａ、３ｂ、３ｂに密着させるようにして取り付けてもよい。
【００２０】
また、連結部材３ｃは、シート材からならなくとも、図５および図６に示すように、連結凹部３ｈ、３ｈ、３ｉ、３ｉを埋めるように取り付けられる、ワイヤー、ロープ、樹脂製線材等の索条体からなるものであってもよい。また、参考例ではあるが、第１および第２の分割床材３ａ、３ｂは、十文字状に並べられなくとも、支持材２の構造によっては、図７に示すように、一方向にのみ並べられて、例えば、索条体からなる連結部材３ｃ、３ｃによって連結されてもよい。また、同じく参考例ではあるが、支持材２は、床構成材からならなくとも、図８に示すように、基礎床面１に立脚された支持脚Ｆ、Ｆに支持される根太材からなっていてもよく、この場合、床材３は、分割床材３ａ、３ａ、３ｂ、３ｂが、根太材からなる支持材２の延びる一方向にのみ並べられて、シート材からなる連結部材３ｃにより連結されてもよい。
【００２１】
また、連結凹部３ｈ、３ｈ、３ｉ、３ｉは、必ずしも互いに連続するように隣合っている必要はなく、それら相互間において位置的なズレがあっても構わない。
【００２２】
【発明の効果】
以上、詳述したところから明らかなように、この発明に係る床材によれば、次の効果がある。
【００２３】
請求項１に記載された床材によれば、第１および第２の分割床材を互いに連結する連結部材は、分割床材の上面側に取り付けられるので、この連結部材は、配線・配管材等の収容空間に面することはなく、したがって、連結部材の材料を問わず、ケーブル火災に対する耐着火性に優れる。その上、第１および第２の分割床材の、第１および第２の連結凹部は、プレス加工によって、容易に形成することができ、しかも、連結凹部を形成するための突出部が、この分割床材を補強する役割を果たすこととなり、この床材の耐荷重強度を向上させることができる。
【００２４】
また、床材が、床構成材からなる支持材に支持されて、収容溝からなる収容空間の上方を覆うことができる。
【００２５】
【００２６】
また、請求項２に記載された床材によれば、加えて、連結部材は、隣合う第１および第２の連結凹部にまたがる部分が、容易に折れ曲がり、したがって、この床材は、隣合う第１および第２の分割床材間で容易に屈曲することができる。
【図面の簡単な説明】
【図１】  この発明に係る床材の一実施の形態の、床材を支持材に載せた状態を示す斜視図である。
【図２】  同じく、床材の分解斜視図である。
【図３】  同じく、床材の平面図である。
【図４】  同じく、図３における、Ａ−Ａ線による断面図である。
【図５】  床材の他の実施の形態の、床材の平面図である。
【図６】  同じく、図５における、Ｂ−Ｂ線による拡大断面図である。
【図７】  参考例としての、床材のさらに他の実施の形態の、床材の平面図である。
【図８】  参考例としての、床材のさらに他の実施の形態の、床材を支持材に載せた状態を示す斜視図である。
【図９】従来の床材において、床材を支持材に載せた状態を示す斜視図である。
【符号の説明】
１  基礎床面                        ２  支持材
２ｄ  支持部
３  床材                            ３ａ  第１の分割床材（分割床材）
３ｂ  第２の分割床材（分割床材）    ３ｃ  連結部材
３ｄ  上面                          ３ｅ  上面
３ｆ  辺（端部）                    ３ｇ  辺（端部）
３ｈ  第１の連結凹部（連結凹部）    ３ｉ  第２の連結凹部（連結凹部）
３ｊ  第１の突出部（突出部）        ３ｋ  第２の突出部（突出部）
３ｍ  上面                          ３ｎ  またがる部分
Ｓ  収容空間
【図１】
0003771706.tif 000002
【図２】
0003771706.tif 000003
【図３】
0003771706.tif 000004
【図４】
0003771706.tif 000005
【図５】
0003771706.tif 000006
【図６】
0003771706.tif 000007
【図７】
0003771706.tif 000008
【図８】
0003771706.tif 000009
【図９】
0003771706.tif 000010